(57)【要約】【課題】  複数回貼着、剥離を繰り返すことが可能で、貼着対象である非吸着物に接着剤が付着することで生じる可塑などの化学変化による変質を与えないレンズカバーを提供すること。【解決手段】  表面に微小な凹部が形成されて対物レンズに対して吸着するミクロ吸盤層４１を有する吸盤部３１と、吸盤部３１の一面に着脱自在に接着されているカバー部３２とを備えること。【選択図】  図４
2006011127.tif 000002
【特許請求の範囲】
【請求項１】
表面に微小な凹部が形成されて非吸着物に対して吸着するミクロ吸盤層を有する吸盤部と、該吸盤部の一面に形成されたカバー部とを備えることを特徴とするレンズカバー。
【請求項２】
前記吸盤部と前記カバー部とが、着脱自在に接着されていることを特徴とする請求項１に記載のレンズカバー。
【発明の詳細な説明】
【技術分野】
【０００１】
本発明は、例えばカメラ機能付き携帯電話機などのカメラレンズを保護するレンズカバーに関する。
【背景技術】
【０００２】
近年、携帯電話機や携帯情報端末等にデジタルカメラ機能（以下、カメラ機能と略称する）を備えたものが供給されるようになってきた。例えば、カメラ機能付携帯電話機は、被写体にカメラレンズを向けてシャッターボタンを押下することによって、被写体の撮影が簡単にできる。このとき、被写体の像は、静止画像あるいは動画像として得られる。
このようなカメラレンズを傷や汚れなどから保護するために、一面に粘着性を有し、カメラレンズに剥離可能に粘着することによってカメラレンズ上に保護層を形成するレンズカバーが提案されている。
【発明の開示】
【発明が解決しようとする課題】
【０００３】
しかしながら上記従来のレンズカバーには、以下の課題が残されている。すなわち、従来のレンズカバーは、その粘着力によってレンズカバーに貼着されているので、剥離した際に、微少量であってもカメラレンズに接着剤が付着する。この付着した接着剤に起因する可塑などの化学変化によってカメラレンズが変質し、カメラレンズの光学系が変化するという問題がある。
【０００４】
本発明は、前述の課題に鑑みてなされたもので、複数回貼着、剥離を繰り返すことが可能で、貼着する対象である非吸着物に接着剤が付着することで生じる可塑などの化学変化による変質を与えないレンズカバーを提供することを目的とする。
【課題を解決するための手段】
【０００５】
本発明は、前記課題を解決するために以下の構成を採用した。すなわち、本発明のレンズカバーは、表面に微小な凹部が形成されて非吸着物に対して吸着するミクロ吸盤層を有する吸盤部と、該吸盤部の一面に形成されたカバー部とを備えることを特徴とする。
【０００６】
この発明にかかるレンズカバーによれば、非吸着物であるカメラレンズに対して吸盤部を押圧することによって、ミクロ吸盤層の凹部の内部が負圧となる。これにより、この凹部が吸盤として機能してカメラレンズに対して吸着する。そして、ミクロ吸盤層は、カメラレンズに対して、例えば糊などの接着剤を使用せずに着脱可能に貼着されているので、吸盤部をカメラレンズから剥離した際に、カメラレンズに接着剤が付着することがない。
したがって、可塑などの化学変化によってカメラレンズが変質することを抑制し、カメラレンズの光学系を安定させる。
【０００７】
また、本発明にかかるレンズカバーは、前記吸盤部と前記カバー層とが、着脱自在に接着されていることが好ましい。
この発明にかかるレンズカバーによれば、吸盤部とカバー部とが、着脱自在に接着されていることによって、ミクロ吸盤層に付着した汚れなどによって凹部による吸着力が低下した際に、吸盤部とカバー部とを剥離して新しい吸盤部とカバー部とを接着することによりミクロ吸盤層と非吸着物との吸着力が維持される。このように吸盤部を取り替えることによって非吸着物との吸着力が維持されるのでカバー部を取り替える必要がなく、カバー部と共にレンズカバー全体を新しいものに取り替える場合と比較して、経済的である。
【発明の効果】
【０００８】
本発明のレンズカバーによれば、非吸着物であるカメラレンズに対して吸盤部を押圧することで、この凹部が吸盤として機能してカメラレンズに対して吸着する。そして、ミクロ吸盤層は、カメラレンズに対して、例えば糊などの接着剤を使用せずに着脱可能に貼着されているので、吸盤部をカメラレンズから剥離した際に、カメラレンズに接着剤が付着することがない。したがって、可塑などの化学変化によってカメラレンズが変質することを抑制し、カメラレンズの光学系を安定させる。
【発明を実施するための最良の形態】
【０００９】
以下、本発明にかかるレンズカバーの一実施形態を、図１から図６を参照しながら説明する。
本実施形態によるレンズカバー１は、例えばカメラ機能付携帯電話機（以下、携帯電話機と省略する）２の対物レンズ３に用いられるレンズカバーである。
この携帯電話機２は、図１に示すように、第１筐体１１と、第１筐体１１とヒンジ機構１２を介して折り畳み自在である第２筐体１３とを備えている。
【００１０】
第１筐体１１には、折り畳まれた際の内面側に、数字キーなどからなって第１シャッターキー１５を備える操作キー部１６と、送話音声を入力するマイク１７とが設けられている。
また、第１筐体１１には、折り畳まれた際の外面側に、撮影に使用する対物レンズ３と、この対物レンズ３による撮影範囲に照明光を照射するライト１８とが設けられており、ハンドストラップなどの紐５４を取り付け可能なストラップ取付孔１１Ａが形成されている。
【００１１】
対物レンズ３は、内蔵カメラの対物光学系を構成する部材であって、第１筐体１１の内部に設けられた撮像素子（図示略）に被写体からの像を結像するように構成されている。そして、この対物レンズ３の表面には、図２（ａ）に示すように、レンズカバー１が着脱自在に貼着されている。
ライト１８は、例えばＬＥＤ（発光ダイオード）で構成されており、内蔵カメラによる撮影時には照明光として使用されると共に、着信や充電状態を報知するように構成されている。
【００１２】
また、第１筐体１１の側面には、第１シャッターキー１５と同様の機能を有する第２シャッターキー１９が設けられており、第１筐体１１の内部には、アンテナ（図示略）が内蔵されている。
【００１３】
第２筐体１３には、折り畳まれた際の内面側に、文字や画像を表示する第１ディスプレイ２１と、受話音声を出力するスピーカ２２とが設けられている。
また、第２筐体１３には、折り畳まれた際の外面側に、第１ディスプレイ２１と同様に文字や画像を表示する第２ディスプレイ２３と、着信音や警告音を出力するサウンダ２４とを備えている。
【００１４】
レンズカバー１は、図３及び図４に示すように、対物レンズ３よりもやや小さい径を有する円盤状の吸盤部３１と、吸盤部３１と着脱自在に貼り合わされているカバー部３２とで構成されている。
吸盤部３１は、可撓性を有しており、ミクロ吸盤層４１と、ミクロ吸盤層４１の一面に形成された第１支持層４２と、第１支持層４２の一面に形成された第２支持層４３と、第２支持層４３の一面に形成されてカバー部３２を着脱自在に貼り合わせる粘着層４４とを備えている。
【００１５】
ミクロ吸盤層４１は、樹脂材料で形成されており、図５に示すように、その表面に無数の微細な凹部４５が形成されており、この凹部４５が吸盤として機能する。また、ミクロ吸盤層４１の他面には、ミクロ吸着層４１を保護する吸盤剥離紙４６が貼着されている。
なお、このミクロ吸盤層４１は、大きさが３×１０ｃｍで、温度が２０℃、引っ張りスピードが３００ｍｍ／分、１８０度引っ張りの測定条件において、８９００ｇ／４５ｃｍ２の保持力を有すると共に、１８０度ピールの測定条件において、ポリプロピレン板に対して２０ｇ／３０ｍｍの吸着力を有するものである。
また、この吸盤剥離紙４６には、スリット４６Ａが形成されており、ミクロ吸盤層４１から容易に剥離できるように構成されている。
【００１６】
第１支持層４２は、例えば厚さ５０μｍのＰＥＴ（ポリエチレンテレフタレート）で構成されており、ミクロ吸盤層４１の一面にドライ接着によって接着して設けられている。
第２支持層４３は、例えば厚さ１２５μｍのＰＥＴで構成されており、第１支持層４２の一面に接着して設けられている。ここで、第２支持層４３としてＰＥＴを用いることによって、第２支持層４２の表面にオフセット印刷による印刷を行うときの印刷適正が良好となる。
なお、第１及び第２支持層４２、４３は、それぞれ１層ずつ積層したものであるが、第１支持層４２の厚さを１７５μｍとしてもよい。
【００１７】
粘着層４４は、例えば両面に粘着性を有する薄膜のシートで構成されており、第２支持層４３の一面に形成されている。この粘着層４４の一面には、粘着層４４を保護する剥離紙４７が貼着されている。ここで、粘着層４４と後述するカバー部３２の台紙５１との粘着力は、ミクロ吸盤層４１と対物レンズ３との吸着力に比べて弱くなるように構成されている。
【００１８】
カバー部３２は、吸盤部３１よりも大きくほぼ卵形状を有する台紙５１と、台紙５１の一面に形成された印刷層５２と、印刷層５２の一面に形成された保護層５３とで構成されており、ハンドストラップに用いられる紐５４を挿通可能な貫通孔３２Ａが形成されている。
台紙５１は、例えば厚さ５０μｍのＰＥＴで構成されており、一面にシルク印刷によって印刷層５２が形成されている。
保護層５３は、一面に粘着性を有する透明なフィルムであって、印刷層５２の一面を覆っている。そして、印刷層５２の上面に保護層５３を設けることによって印刷層５２を保護する。
【００１９】
吸盤部３１とカバー部３２とは、吸盤部３１の粘着層４４の一面に貼着された剥離紙４７を剥がし、カバー部３２の台紙５１の裏面に粘着層４４を粘着させることによって、貼り合わされている。なお、吸盤部３１による吸着力が低下したときは、吸盤部３１とカバー部３２とを剥離して新しい吸盤部３１とカバー部３２とを粘着させることができるように構成されている。
【００２０】
このレンズカバー１を対物レンズ３に吸着させる際は、吸盤剥離紙４６を剥がし、ミクロ吸盤層４１を対物レンズ３に当接させて、カバー部３２の上から指で軽く押し付ける。このようにしてミクロ吸盤層４１の凹部４５内部が負圧となることで、ミクロ吸盤層４１が吸盤として機能し、図２（ａ）に示すように対物レンズ３に吸着する。ここで、粘着層４４と台紙５１との粘着力は、ミクロ吸盤層４１と対物レンズ３との吸着力に比べて弱くなるように構成されているので、レンズカバー１を対物レンズ３から剥離するときに、台紙５１が粘着層４４から剥離することが防止される。
【００２１】
この携帯電話機２は、第１筐体１１及び第２筐体１３を拡開し、適宜キー操作を行って電源を投入する。電話機として使用する場合には、この状態において通話操作を行う。通話処理に移行すると、第１筐体１１の内部に設けられた通話処理回路（図示略）によって、マイク１７に入力された音声信号は、音声データとしてアンテナから送信される。また、通話処理回路によって、アンテナから受信された音声データは、音声信号としてスピーカ２２から出力される。このように、電話機として使用されることになる。
【００２２】
また、携帯電話機２をカメラとして使用するには、上述と同様に、第１筐体１１及び第２筐体１３を拡開し、適宜キー操作を行って電源を投入する。そして、操作キー部１６で所定操作を行うことによって、内蔵カメラによる撮影が可能である撮影モードに設定する。このとき、対物レンズ３に貼着されたレンズカバー１を剥離して、図２（ｂ）に示すように、第１筐体１１における内蔵カメラによる撮影を妨害しない適当な位置に貼着する。
なお、この場合の貼着位置は、第１筐体１１に限らず、第２筐体１３であってもよい。ただし、レンズカバー１を手で保持したままの状態であると、ミクロ吸盤層４１の表面に手の汚れなどが付着し、ミクロ吸着板４１と対物レンズ３との吸着力が低下する原因となるので好ましくない。
また、貫通孔３２Ａに紐５４を挿通し、この紐５４をストラップ孔１１Ａに取り付けてもよい。このようにすることで、紐５４をハンドストラップとして使用することが可能であると共に、レンズカバー１を対物レンズ３から剥離したときに、レンズカバー１を紛失することを抑制する。さらにハンドストラップとして使用する以外に、レンズ、ガラスなど平坦な固体に吸着する吸盤本来の機能を利用して、レンズカバー１を携帯電話機２の第１筐体１１または第２筐体１３に吸着させておいてもよい。このようにすることで貫通孔３２Ａに紐５４を挿通していない場合でも紛失を防止できると共に、アクセサリーとしても機能も発揮することができる。また、レンズカバー１の表裏面にキャラクターの顔などを印刷しておけば、より商品価値を高めることができる。
【００２３】
次に、撮影者は、対物レンズ３を、撮影したい被写体に向け、シャッターキー１６を押下することで被写体の像が内部に設けられたメモリ（図示略）に保存される。
そして、操作キー部１６で所定操作を行うことによって、撮影モードを終了し、レンズカバー１を対物レンズ３に再貼着する。
【００２４】
このように構成されたレンズカバー１によれば、非吸着物である対物レンズ３に対してミクロ吸盤層４１の凹部４５が吸着することでレンズカバーとして機能しており、接着剤を用いずに対物レンズ３との密着を図っているので、レンズカバー１を剥離した際に対物レンズ３に接着剤が付着することがなく、対物レンズ３と接着剤とで発生する可塑などの化学変化による対物レンズ３の変質を抑制する。
【００２５】
また、吸盤部３１に粘着層４４が形成されており、この粘着層４４とカバー部３２の台紙５１とが着脱自在に接着されていることにより、ミクロ吸盤層４１に付着した汚れなどによって凹部４５による吸着力が低下しても、吸盤部３１とカバー部３２とを剥離して新しい吸盤部３１とカバー部３２とを接着することによりミクロ吸盤層４１と対物レンズ３との吸着力が維持される。このように、レンズカバー１全体を取り替える必要がないので、カバー部３２と共に取り替える場合と比較して経済的である。
【００２６】
なお、本発明は上記実施形態に限定されるものではなく、本発明の趣旨を逸脱しない範囲において種々の変更を加えることが可能である。
例えば、上記実施形態において、レンズカバー１は、携帯電話機２の対物レンズ３に貼着するように構成されたが、これに限らず、例えば、携帯情報端末やデジタルスチルカメラなどの他のカメラ機能を備えたもののカメラレンズを保護するレンズカバーであってもよい。
【図面の簡単な説明】
【００２７】
【図１】本発明の一実施形態におけるカメラ機能付き携帯電話機を示すもので、（ａ）は斜視図、（ｂ）は（ａ）とは異なる方向から見た斜視図である。
【図２】図１におけるカメラ機能付き携帯電話機を示すもので、（ａ）は折り畳んだ状態での正面図、（ｂ）は（ａ）におけるカメラ撮影状態を示す正面図である。
【図３】本発明の一実施形態におけるレンズカバーを示すもので、（ａ）は平面図、（ｂ）は底面図である。
【図４】図１における、（ａ）は吸着部の断面図、（ｂ）はカバー部の断面図である。
【図５】図１におけるミクロ吸盤層を示す斜視図である。である。
【符号の説明】
【００２８】
３  対物レンズ（非吸着物）
３１  吸盤部
３２  カバー部
４１  ミクロ吸盤層
４５  凹部
【図１】
2006011127.tif 000003
【図２】
2006011127.tif 000004
【図３】
2006011127.tif 000005
【図４】
2006011127.tif 000006
【図５】
2006011127.tif 000007